(57)【要約】【課題】ケース内部に収納される内部機能部の各機能部品の取付けを短時間で簡単に行うことが可能なシャワー装置を提供する。【解決手段】縦長の箱体状のケース１２と、ケース１２の外部に露出したシャワー吐水部と、ケース１２の内部に収納された、湯水の混合バルブ８８及び切替バルブ９０，９２，９４を有する水栓機構部７６と内部配管を含んだ内部機能部７８とを有し、壁面に取り付けられて使用されるシャワー装置１０において、内部機能部７８の水栓機構部７６を単一の共通の取付ブラケット９８に固定し、水栓機構部７６を取付ブラケット９８によりケース１２に固定するようになす。【選択図】        図３
2009189604.tif 000002
【特許請求の範囲】
【請求項１】
箱体状のケースと、該ケースの外部に露出したシャワー吐水部と、該ケースの内部に収納された、湯水の混合バルブ及び該シャワー吐水部からのシャワー吐水と止水とを切り替える切替バルブを有する水栓機構部及び内部配管を含んだ内部機能部と、を有し、壁面に取り付けられて使用されるシャワー装置であって
前記内部機能部における前記水栓機構部が単一の共通の第１取付ブラケットに固定してあって、該水栓機構部が該第１取付ブラケットにて前記ケースに固定してあることを特徴とするシャワー装置。
【請求項２】
請求項１において、前記シャワー吐水部が前記水栓機構部とともに前記第１取付ブラケットに固定してあって、該シャワー吐水部が該水栓機構部とともに該第１取付ブラケットにて前記ケースに固定してあることを特徴とするシャワー装置。
【請求項３】
請求項１，２の何れかにおいて、前記内部機能部の全体が、前記第１取付ブラケット及び該第１取付ブラケットと別体若しくは一体の第２取付ブラケットに固定してあって、該内部機能部の全体が該第１及び第２取付ブラケットにて前記ケースに固定してあることを特徴とするシャワー装置。
【請求項４】
請求項１において、前記ケースが後壁と一対の側壁とを有し、前面が室内側に向って開放されたケース本体と、該ケース本体の前面の開放部を閉じる前面カバーとを有する縦長の箱体状のものであって、前記水栓機構部が前記第１取付ブラケットの後面側に固定してあり、該水栓機構部を前記前面の開放部より前記ケース本体内部に挿入した状態で、該第１取付ブラケットが該ケース本体の該開放部側に固定してあり、前記前面カバーが該水栓機構部を前側から覆う状態に該ケース本体に固定してあることを特徴とするシャワー装置。
【請求項５】
請求項３において、前記ケースが後壁と一対の側壁とを有し、
前面が室内側に向って開放されたケース本体と、該ケース本体の前面の開放部を閉じる前面カバーとを有する縦長の箱体状のものであって、前記水栓機構部を含む前記内部機能部の全体が前記第１及び第２取付ブラケットの後面側に固定してあり、該内部機能部を前記ケース本体の前記前面の開放部より前記ケース本体の内部に挿入した状態で、前記第１及び第２取付ブラケットが該ケース本体の前記開放部の側に固定してあり、前記前面カバーが該内部機能部を前側から覆う状態に該ケース本体に固定してあることを特徴とするシャワー装置。
【請求項６】
請求項１において、前記シャワー吐水部として、使用者の頭部より低い位置で該使用者の身体に向って前方にシャワー吐水するボデーシャワー吐水部を有しており、前記切替バルブとして該ボデーシャワー吐水部用の切替バルブが前記水栓機構部に含まれていることを特徴とするシャワー装置。
【請求項７】
請求項６において、前記シャワー吐水部として、使用者の頭上から下向きにシャワー吐水するオーバーヘッドシャワー吐水部を有しており、前記切替バルブとして該オーバーヘッドシャワー吐水部用の切替バルブが前記水栓機構部に含まれていることを特徴とするシャワー装置。
【請求項８】
請求項６，７の何れかにおいて、前記シャワー吐水部として、可撓性のシャワーホースに繋がれたハンドシャワー吐水部を有しており、前記切替バルブとして該ハンドシャワー吐水部用の切替バルブが前記水栓機構部に含まれていることを特徴とするシャワー装置。
【請求項９】
請求項１のシャワー装置の施工方法であって、
該シャワー装置を前記壁面に取付施工するのに先立って、予め前記水栓機構部を前記第１取付ブラケットに固定して、該水栓機構部を該第１取付ブラケットとともにユニット状態の予備組付品となしておき、該予備組付品の状態で該水栓機構部を前記ケースに取付固定しておき、該水栓機構部の取付状態で前記シャワー装置を前記壁面に取付施工することを特徴とするシャワー装置の施工方法。
【請求項１０】
請求項３のシャワー装置の施工方法であって、
該シャワー装置を前記壁面に取付施工するに先立って、予め前記内部機能部の全体を前記第１及び第２取付ブラケットに固定して、該内部機能部をそれら第１及び第２取付ブラケットとともにユニット状態の予備組付品となしておき、該予備組付品の状態で該内部機能部の全体を前記ケースに取付固定しておき、該内部機能部の取付状態で前記シャワー装置を前記壁面に取付施工することを特徴とするシャワー装置の施工方法。
【発明の詳細な説明】
【技術分野】
【０００１】
この発明はシャワー装置、詳しくは箱体状のケースの外部にシャワー吐水部を露出状態に設けるとともに、ケース内部に各種配管や水栓機構部を含む内部機能部を収納した形態のシャワー装置及びその施工方法に関する。
【背景技術】
【０００２】
従来、縦長のケースの室内側の前面にシャワー吐水部を設けるとともに、ケースの内部に水栓機構部と各種配管とを含む内部機能部を収納した形態のシャワー装置が公知である。
例えば下記特許文献１にこの種のシャワー装置が開示されている。
図２４はその具体例を示している。
【０００３】
図において、４００はシャワー装置４０１における縦長の箱体状をなすケースで、壁面Ｗ側の後側のケース本体４０２と、前面カバー４０４とを有している。
ケース本体４０２は、後壁４０２Ａと一対の側壁４０２Ｂとを有していて、室内側の前面が開放された形態をなしており、そしてその前面の開放部が前面カバー４０４にて閉鎖されている。
【０００４】
このシャワー装置では、前面カバー４０４の上端部にオーバーヘッドシャワー吐水部４０６が設けられ、また上下の中間部にボデーシャワー吐水部４０８が、更に下端部に吐水管４１０が設けられており、更にボデーシャワー吐水部４０８の下側に、オーバーヘッドシャワー吐水部４０６とボデーシャワー吐水部４０８と吐水管４１０との間で吐水を切替操作する切替操作部４１２が設けられている。
【０００５】
またケース４００の内部には、湯水の混合バルブを有する水栓本体４１４及び切替バルブ４１６を含む水栓機構部４１８を内部配管とともに有する内部機能部４１９が収納されている。
尚、切替バルブ４１６には上記の切替操作部４１２が備えられ、この切替操作部４２０が前面カバー４０４の開口４２２から室内側に突出せしめられている。
【０００６】
この特許文献１に開示のものでは、シャワー装置を取付施工するに際して、図２４（ロ）に示しているように前面カバー４０４を外した状態で先ずケース本体４０２を、前面の開放部を通じてビス４２４にて壁面Ｗに固定し、しかる後に水栓機構部４１８における切替バルブ４１６やオーバーヘッドシャワー吐水部用の継手４２５等を、内部配管とともにケース本体４０２内に収めるようにして、切替バルブ４１６，継手４２５等をビス４２６等にて個別にケース本体４０２に固定し、その後前面カバー４０４をケース本体４０２に固定し、以てシャワー装置を壁面Ｗに取付施工するようになしている。
【０００７】
しかしながらこのように施工現場でケース本体４０２を壁面Ｗに固定した上で、水栓機構部４１８における切替バルブ４１６や水栓本体４１４、更には継手４２５等を個別に固定し、更にその後に前面カバー４０４をケース本体４０２に取り付け、その上で更に前面カバー４０４にオーバーヘッド吐水部４０６やボデーシャワー吐水部４０８，吐水管４１０等を設けるとなると、施工現場でのシャワー装置の取付施工に多大な手間と時間を要し、取付施工が大変な作業となってしまう。
【０００８】
この他に、図２５に示すようなシャワー装置が下記特許文献２に開示されている。
図において、４２８はシャワー装置４０１における壁面Ｗ側の後面が開放された箱体状をなすケースで、その上部にオーバーヘッドシャワー吐水部（第１シャワー）４３２が、またその下側に可撓性のシャワーホース４３４に繋がれたハンドシャワー吐水部（第３シャワー）４３６が、またカウンター４３０に別の第２のシャワー吐水部４３８が設けられている。
【０００９】
またケース４２８の前面には、オーバーヘッドシャワー吐水部４３２からのシャワー吐水と第２のシャワー吐水部４３８からのシャワー吐水とを切替操作する操作部４４０，ハンドシャワー吐水部４３６からの吐水と止水とを行うための操作部４４１，更に温度調節操作のための操作部４４３とが設けられている。
またケース４２８の内部には、温度調節を行う湯水の混合バルブ４４２，吐止水を行う吐止水バルブ（切替バルブ）４４４，シャワー吐水の切替えを行う切替バルブ４４６が配管とともに内部機能部４１９として収納されている。
【００１０】
この図２５に示すシャワー装置では、図２５（ロ）に示しているように湯水の混合バルブ４４２，吐止水バルブ４４４，切替バルブ４４６を、それらに対応した各単独の取付ブラケット４５０，４５２，４５４にビス４４８にて個別に固定した上、各取付ブラケット４５０，４５２，４５４をビス４５６にてそれぞれ個別に壁面Ｗに取付固定し、その後においてケース４２８を取り付け、以てシャワー装置４０１を壁面Ｗに取付固定するようになしている。
【００１１】
しかしながらこの図２５に示すシャワー装置４０１にあっても、湯水混合バルブ４４２，吐止水バルブ４４４，切替バルブ４４６等を個別に、しかもそれぞれを現場で位置決めしつつ壁面Ｗに取り付けなければならず、更にケース４２８の取付けを、それら各機能部品を壁面Ｗに取り付けた上で、それら機能部品即ち内部機能部４１９を覆うように取り付けなければならず、現場でのシャワー装置４０１の取付施工に多大の手間と時間とを要してしまい、取付施工が大変な作業となってしまう。
【００１２】
そこでこの種箱体状のケースを有するシャワー装置において、内部の機能部品を現場でのシャワー装置の取付施工に先立って、予めシャワー装置の工場生産段階でケースに取付固定しておくといったことが考えられるが、その場合においても各機能部品を個別にケースに取り付けるとなると、その際の位置決めの問題や、取付作業の作業工数が多くなり、作業性が悪くなって機能部品のケースへの取付固定のために多大な手間と時間とを要してしまう。
【００１３】
【特許文献１】特開２００６−３１０号公報
【特許文献２】特開２００６−１１２１８０号公報
【発明の開示】
【発明が解決しようとする課題】
【００１４】
本発明は以上のような事情を背景とし、ケース内部に収納される内部機能部の各機能部品の取付けを短時間で簡単に行うことが可能なシャワー装置及びその施工方法を提供することを目的としてなされたものである。
【課題を解決するための手段】
【００１５】
而して請求項１はシャワー装置に関するもので、箱体状のケースと、該ケースの外部に露出したシャワー吐水部と、該ケースの内部に収納された、湯水の混合バルブ及び該シャワー吐水部からのシャワー吐水と止水とを切り替える切替バルブを有する水栓機構部及び内部配管を含んだ内部機能部と、を有し、壁面に取り付けられて使用されるシャワー装置であって、前記内部機能部における前記水栓機構部が単一の共通の第１取付ブラケットに固定してあって、該水栓機構部が該第１取付ブラケットにて前記ケースに固定してあることを特徴とする。
【００１６】
請求項２のものは、請求項１において、前記シャワー吐水部が前記水栓機構部とともに前記第１取付ブラケットに固定してあって、該シャワー吐水部が該水栓機構部とともに該第１取付ブラケットにて前記ケースに固定してあることを特徴とする。
【００１７】
請求項３のものは、請求項１，２の何れかにおいて、前記内部機能部の全体が、前記第１取付ブラケット及び該第１取付ブラケットと別体若しくは一体の第２取付ブラケットに固定してあって、該内部機能部の全体が該第１及び第２取付ブラケットにて前記ケースに固定してあることを特徴とする。
【００１８】
請求項４のものは、請求項１において、前記ケースが後壁と一対の側壁とを有し、前面が室内側に向って開放されたケース本体と、該ケース本体の前面の開放部を閉じる前面カバーとを有する縦長の箱体状のものであって、前記水栓機構部が前記第１取付ブラケットの後面側に固定してあり、該水栓機構部を前記前面の開放部より前記ケース本体内部に挿入した状態で、該第１取付ブラケットが該ケース本体の該開放部側に固定してあり、前記前面カバーが該水栓機構部を前側から覆う状態に該ケース本体に固定してあることを特徴とする。
【００１９】
請求項５のものは、請求項３において、前記ケースが後壁と一対の側壁とを有し、前面が室内側に向って開放されたケース本体と、該ケース本体の前面の開放部を閉じる前面カバーとを有する縦長の箱体状のものであって、前記水栓機構部を含む前記内部機能部の全体が前記第１及び第２取付ブラケットの後面側に固定してあり、該内部機能部を前記ケース本体の前記前面の開放部より前記ケース本体の内部に挿入した状態で、前記第１及び第２取付ブラケットが該ケース本体の前記開放部の側に固定してあり、前記前面カバーが該内部機能部を前側から覆う状態に該ケース本体に固定してあることを特徴とする。
【００２０】
請求項６のものは、請求項１において、前記シャワー吐水部として、使用者の頭部より低い位置で該使用者の身体に向って前方にシャワー吐水するボデーシャワー吐水部を有しており、前記切替バルブとして該ボデーシャワー吐水部用の切替バルブが前記水栓機構部に含まれていることを特徴とする。
【００２１】
請求項７のものは、請求項６において、前記シャワー吐水部として、使用者の頭上から下向きにシャワー吐水するオーバーヘッドシャワー吐水部を有しており、前記切替バルブとして該オーバーヘッドシャワー吐水部用の切替バルブが前記水栓機構部に含まれていることを特徴とする。
【００２２】
請求項８のものは、請求項６，７の何れかにおいて、前記シャワー吐水部として、可撓性のシャワーホースに繋がれたハンドシャワー吐水部を有しており、前記切替バルブとして該ハンドシャワー吐水部用の切替バルブが前記水栓機構部に含まれていることを特徴とする。
【００２３】
請求項９はシャワー装置の施工方法に関するもので、該シャワー装置を前記壁面に取付施工するのに先立って、予め前記水栓機構部を前記第１取付ブラケットに固定して、該水栓機構部を該第１取付ブラケットとともにユニット状態の予備組付品となしておき、該予備組付品の状態で該水栓機構部を前記ケースに取付固定しておき、該水栓機構部の取付状態で前記シャワー装置を前記壁面に取付施工することを特徴とする。
【００２４】
請求項１０のものは、請求項３のシャワー装置の施工方法であって、該シャワー装置を前記壁面に取付施工するに先立って、予め前記内部機能部の全体を前記第１及び第２取付ブラケットに固定して、該内部機能部をそれら第１及び第２取付ブラケットとともにユニット状態の予備組付品となしておき、該予備組付品の状態で該内部機能部の全体を前記ケースに取付固定しておき、該内部機能部の取付状態で前記シャワー装置を前記壁面に取付施工することを特徴とする。
【発明の作用・効果】
【００２５】
以上のように請求項１のものは、内部機能部の、湯水の混合バルブ及びシャワー吐水部からのシャワー吐水と止水とを切り替える切替バルブを有する水栓機構部を、単一の共通の第１取付ブラケットに固定し、水栓機構部をその第１取付ブラケットにてケースに固定するようになしたものである。
【００２６】
この請求項１によれば、内部機能部のうちの少なくとも水栓機構部を、予め第１取付ブラケットとともに１つのユニットとして予備組付品となしておき、その状態で第１取付ブラケットによりケースに取付固定することができる。
従って水栓機構部をケースに取り付けるに際して、水栓機構部を構成している各機能部品を個別にケースに取り付けるのに比べて、各機能部品の取付けの位置決めを機能部品ごとにそれぞれ独立に行う必要もないし、また単に単一の共通の第１取付ブラケットをケースに固定するだけで、水栓機構部の全体をユニットとしてケースに固定できる。
従って水栓機構部のケースへの取付けの手間が少なくて済み、短時間で簡単に水栓機構部をケースに取付固定することができる。
【００２７】
即ちシャワー装置の工場生産段階で、簡単に水栓機構部をケースに取付固定でき、シャワー装置の製造のための所要工数を少なくすることができる。
また施工現場でのシャワー装置の取付施工に際して、水栓機構部をその場で壁面に取り付けるといったことが必要でないので、現場での施工の手間も削減することができる。
【００２８】
請求項２は、シャワー吐水部を水栓機構部とともに第１取付ブラケットに固定し、シャワー吐水部を水栓機構部とともに第１取付ブラケットを介してケースに固定するようになしたものである。
このようにすれば、シャワー吐水部もまた水栓機構部とともに１つのユニットとなして、予備組付品の状態で第１取付ブラケットにてケースに固定することができる。
【００２９】
従ってこの請求項２によれば、シャワー吐水部を水栓機構部と別にケースに固定する手間を削減し得て、水栓機構部及びシャワー吐水部のケースへの取付けの手間を削減でき、またその際にシャワー吐水部の取付けの位置決めのための作業を省略し得て、シャワー装置の生産のための所要工数を少なくすることができる。
【００３０】
また施工現場でシャワー装置を壁面に取付施工するに際して、シャワー吐水部を水栓機構部とは別途にケースに固定する必要がなく、そのことによって施工の手間を削減でき、現場での取付施工性を良好となすことができる。
【００３１】
次に請求項３は、内部機能部の全体を第１取付ブラケット及びこれと別体若しくは一体の第２取付ブラケットに固定し、内部機能部の全体を、それら第１及び第２取付ブラケットにてケースに固定するようになしたもので、この請求項３によれば、内部機能部の全体を、第１及び第２取付ブラケットとともに１つのユニットとなし、それらを予備組付品の状態で全体的にこれをケースに固定することができる。
【００３２】
従って内部機能部を構成する多数の機能部品や配管等を個別にケースに取り付ける場合に比べて、内部機能部全体のケースへの取付けを極めて簡単に行うことが可能となる。
またシャワー装置を現場で壁面に取付施工するに際して、その現場で内部機能部の取付固定を行う必要がないので、現場での施工性もより一層良好となすことができる。
【００３３】
請求項４は、請求項１における上記ケースを、前面が室内側に向って開放されたケース本体と、その前面の開放部を閉じる前面カバーとで構成するとともに、上記水栓機構部を第１取付ブラケットの後面側に固定しておいて、水栓機構部を前面の開放部よりケース本体の内部に挿入した状態で、第１取付ブラケットをケース本体の開放部側に固定し、そして上記の前面カバーを、その水栓機構部を前側から覆う状態にケース本体に固定するようになしたものである。
【００３４】
この請求項４によれば、水栓機構部をケース本体の内部に収容した状態に、簡単にこれをケース本体に固定することができる。即ち水栓機構部を容易にケース内部に組込状態に取付固定することができる。
【００３５】
また請求項５によれば、内部機能部の全体を、ケース本体の内部に収容した状態に容易にこれをケース本体に固定することができる。即ち内部機能部の全体を容易にケース内部に組込状態に固定することができる。
【００３６】
本発明では、上記シャワー吐水部として、使用者の身体に向って前方にシャワー吐水するボデーシャワー吐水部を備えておき、そして上記の切替バルブとしてボデーシャワー吐水部用の切替バルブを水栓機構部に備えて、これを水栓機構部の他の構成部品とともに第１取付ブラケットに固定しておくとともに、ボデーシャワー吐水部もまた水栓機構部とともに第１取付ブラケットに固定しておくことができる（請求項６）。
【００３７】
更にこの場合において、シャワー吐水部として、使用者の頭上から下向きにシャワー吐水するオーバーヘッドシャワー吐水部を備えておき、また上記切替バルブとしてオーバーヘッドシャワー吐水部用の切替バルブを水栓機構部に備えておいて、これを水栓機構部の他の構成部品とともに第２取付ブラケットに固定しておくことができる（請求項７）。
【００３８】
更にこれら請求項６，請求項７において、シャワー吐水部として、可撓性のシャワーホースに繋がれたハンドシャワー吐水部を備えておき、また切替バルブとして、そのハンドシャワー吐水部用の切替バルブを水栓機構部に備えておいて、これを水栓機構部の他の構成部品とともに第１取付ブラケットに固定しておくことができる（請求項８）。
【００３９】
次に請求項９は、シャワー装置の施工方法に関するもので、この施工方法では、シャワー装置を壁面に取付施工するのに先立って、予め水栓機構部を第１取付ブラケットに固定し、水栓機構部を第１取付ブラケットとともに１つのユニットの予備組付品としてケースに取付固定しておき、そして水栓機構部の取付状態の下で、シャワー装置を壁面に取付施工するもので、この請求項９によれば、水栓機構部のケースへの取付けを簡単に行うことができるとともに、施工現場において水栓機構部をケースに固定したり壁面に固定したりする必要がないので、現場でのシャワー装置の取付施工を容易なものとなすことができる。
【００４０】
また請求項１０によれば、現場での取付施工に先立って、内部機能部の全体を容易にケースに取付固定することができるとともに、シャワー装置の施工現場において内部機能部を単独で壁面に取付固定する手間を省くことができるので、現場でのシャワー装置の取付施工をより一層簡単なものとなすことができる。
【発明を実施するための最良の形態】
【００４１】
次に本発明の実施形態を図面に基づいて詳しく説明する。
図１及び図２において、１０は縦長の塔状のシャワー装置で、図２に示しているように浴室の壁面Ｗに接する状態に浴室内に設置されている。
この実施形態において、シャワー装置１０は縦長の箱体状のケース１２を有している。
【００４２】
ケース１２は、図３及び図１１に示しているように壁面Ｗ側のケース本体１４と前面カバー１６とを有している。
壁面Ｗ側の後側のケース本体１４は、後壁１４Ａと左右一対の側壁１４Ｂとを有する、横断面形状がコ字形状の部材（ここでは金属製）で、前面が室内側に向って開放されており、その前面の開放部が前面カバー１６にて閉じられている。
【００４３】
ケース１２は、その下端から上端までの上下方向寸法が約１７００ｍｍの上下に長いものであり、その下端が図２に示すように床面から所定距離上方に位置する状態で壁面Ｗに固定されている。従ってケース１２の上端は床面からの高さが１７００ｍｍよりも高位置、即ち浴室の天井に近い位置に位置している。
【００４４】
このシャワー装置１０では、前面カバー１６の上端部にオーバーヘッドシャワー吐水部１８が、また上端と下端との間の上下中間部にはボデーシャワー吐水部２０がそれぞれケース１２外に露出する状態で設けられ、更にケース１２の下面には吐水管（カラン）２２が水平方向に回転可能に設けられている。
またケース１２の図中左側の側方には、ハンドシャワー吐水部２４が同じくケース１２外に露出する状態で配置され、かかるハンドシャワー吐水部２４が、可撓性のシャワーホース２６にてケース１２の内側の後述の内部機能部７８に、回転可能なエルボ状の継手４２を介して接続されている。
【００４５】
ここでボデーシャワー吐水部２０は左右に２列に、且つ上下方向に５個所、全体として１０個所に設けられている。
詳しくはこのボデーシャワー吐水部２０は、最上部のボデーシャワー吐水部２０Ａ-１，２０Ｂ-１とその下側のボデーシャワー吐水部２０Ａ-２，２０Ｂ-２、更にその下側のボデーシャワー吐水部２０Ａ-３，２０Ｂ-３，更にその下側のボデーシャワー吐水部２０Ａ-４，２０Ｂ-４及び最下部のボデーシャワー吐水部２０Ａ-５，２０Ｂ-５から成っている。
【００４６】
本実施形態において、ボデーシャワー吐水部２０は、使用者の頭部より低い位置でシャワーをミスト状に使用者のボデーに向って前方に噴射するもので、このうちボデーシャワー吐水部２０Ａ-１，２０Ｂ-１は、使用者の胸部にミスト状のシャワー（ミストシャワー）を噴射する。
またボデーシャワー吐水部２０Ａ-２〜２０Ａ-４，２０Ｂ-２〜２０Ｂ-４は、使用者の腰部を中心として上下の所定範囲に亘ってミストシャワーを噴射するもので、このうちボデーシャワー吐水部２０Ａ-２，２０Ｂ-２は使用者のみぞおちを中心としてその周辺に、ボデーシャワー吐水部２０Ａ-３，２０Ｂ-３は使用者の丁度腰を中心としてその周辺に、更にボデーシャワー吐水部２０Ａ-４，２０Ｂ-４は使用者の太ももを中心としてその周辺にミストシャワーをそれぞれ噴射する。
また最下部のボデーシャワー吐水部２０Ａ-５，２０Ｂ-５は使用者の足元近くにミストシャワーを噴射する。
各ボデーシャワー吐水部２０Ａ-１〜２０Ａ-５及び２０Ｂ-１〜２０Ｂ-５の高さが、それぞれそのように定められている。
【００４７】
一方オーバーヘッドシャワー吐水部１８は、使用者に向けて頭上から下向きにシャワー水（ここではミスト状ではない）を噴射するもので、図２に示しているようにケース１２における前面カバー１６から前方にほぼ水平に延び出したパイプ３０と、パイプ３０の先端部に取り付けられた円盤状の散水板を有しており、その散水板に分散状に設けられた多数のシャワー孔３２から下向きにシャワー水を噴射する。
【００４８】
他方、吐水管２２は主として使用者が洗い場に座った状態で使用するもので、先端に吐水口３４を有し、この吐水口３４から吐水を１本の直流束で下向きに吐出する。
【００４９】
上記ハンドシャワー吐水部２４は、図１に示しているようにグリップ３６とヘッド３８とを有しており、そのヘッド３８には散水板が設けられていて、その散水板に多数のシャワー孔４０が分散状に設けられ、それらシャワー孔４０からシャワー水を噴射する。
ここでハンドシャワー吐水部２４は、ケース１２の図中左側面に突出状態に設けられたシャワーフック２８によって脱着可能に掛止されている。
【００５０】
前面カバー１６にはまた、図１に示しているように縦一列に合計４つの操作部が設けられている。
詳しくは、上から順にオーバーヘッドシャワー吐水部１８用の操作部４４，ボデーシャワー吐水部２０用の操作部４６，混合水の温度調節用の操作部４８、及び吐水管２２とハンドシャワー吐水部２４とで吐水を切り替えるための操作部５０が縦一列に設けられている。
これら回転ハンドル式の各操作部４４，４６，４８，５０には、それぞれ外周面から径方向外方に突出した指示部５２，５４，５６，５８が設けられており、それら指示部５２，５４，５６，５８が操作部周りの表示部のどの位置に位置しているかによって、現在の操作状態が分るようになしてある。
【００５１】
ここでオーバーヘッドシャワー吐水部１８用の操作部４４は、シャワー吐水状態と止水状態及び中間の温度確認位置との３位置に切替操作可能である。
同様にボデーシャワー吐水部２０用の操作部４６もまた、止水位置とシャワー吐水位置と中間の温度確認位置との３位置に切替操作可能である。更に吐水管２２とハンドシャワー吐水部２４からの吐水を切替操作する操作部５０は、図１に示しているように止水状態と吐水管２２からの吐水、ハンドシャワー吐水部２４からのシャワー吐水の３位置に切替操作可能である。
尚操作部４４，４６，５０は、それぞれ回転角度に応じて流量を変化させることのできる流調操作部も兼ねている。
【００５２】
図１〜図３に示しているように、前面カバー１６はその下端側の一部が、前面カバー１６の大部分をなすカバー本体６０と別体且つ脱着可能な蓋体６２とされており、この蓋体６２が取り外されることで前面に部分開口６４が形成されるようになっている。
また前面カバー１６詳しくはカバー本体６０には、図２及び図３に示しているように操作部４４，４６，４８，５０に対応した円形の貫通の開口６８，７０，７２，７４が縦一列に設けられており、更にボデーシャワー吐水部２０Ａ-１，２０Ａ-２，２０Ａ-３，２０Ａ-４，２０Ａ-５及び２０Ｂ-１，２０Ｂ-２，２０Ｂ-３，２０Ｂ-４，２０Ｂ-５にそれぞれ対応した貫通の円形の開口６６Ａ-１，６６Ａ-２，６６Ａ-３，６６Ａ-４，６６Ａ-５及び６６Ｂ-１，６６Ｂ-２，６６Ｂ-３，６６Ｂ-４，６６Ｂ-５がそれぞれ設けられている。
【００５３】
尚この前面カバー１６と対をなす後側のケース本体１４には、図３，図８，図９，図１１に示しているように一対の側壁１４Ｂに沿って縦方向に連続した内向きの鍔状部８０が設けられている。
また図３に示しているように後壁１４Ａの上部、詳しくは後述の水栓機構部７６よりも上側の上部において、一対の掛止開口８２，８４が後壁１４Ａを前後方向に貫通する状態で上，下に部分的に設けられている。更に後壁１４Ａの下端部には貫通の開口８６が設けられている。
【００５４】
これら前面カバー１６とケース本体１４とを有するケース１２の内部には、水栓機構部７６を有する内部機能部７８が収納されている。
ここで内部機能部７８は、後述の取付ブラケット９８，１００，１０４とともに予め組み付けられ、１つのユニットとして、予備組付状態でケース１２の内部に納められてケース１２に固定されている。
【００５５】
上記水栓機構部７６は、オーバーヘッドシャワー吐水部１８用の切替バルブ９０，ボデーシャワー吐水部２０用の切替バルブ９２，湯水の混合バルブ８８，吐水管２２からの吐水とハンドシャワー吐水部２４からのシャワー吐水との切替用の切替バルブ９４（各切替バルブ９０，９２，９４は流調バルブとしての機能も有する）及び後に詳述する冷水排水弁９６を有しており、それらが図６，図７，図８及び図１０に示す一体構成の金属製の平板状の共通の取付ブラケット（第１取付ブラケット。以下単にブラケットとする）９８に固定され、かかるブラケット９８がケース１２に固定されることで、水栓機構部７６の全体がケース１２に一体に固定されている。
【００５６】
ブラケット９８にはまた、ボデーシャワー吐水部２０Ａ-１〜２０Ａ-４及び２０Ｂ-１〜２０Ｂ-４も併せて固定されており、それらが水栓機構部７６とともに１つのユニットとして、ブラケット９８を介しケース１２、詳しくはケース１２におけるケース本体１４に固定されている。
一方最下部の足元用のボデーシャワー吐水部２０Ａ-５，２０Ｂ-５については、ブラケット９８とは別体をなす金属製の平板状の取付ブラケット（第２取付ブラケット。以下単にブラケットとする）１００に固定され、かかるブラケット１００を介してケース１２におけるケース本体１４に固定されている。
【００５７】
更にオーバーヘッドシャワー吐水部１８に向けて給水を行う給水路上の継手１０２が、ブラケット９８とは別体をなす金属製の平板状の取付ブラケット（第２取付ブラケット。以下単にブラケットとする）１０４に固定され、かかるブラケット１０４を介してケース１２におけるケース本体１４に固定されている。
即ちこの実施形態では、図３に示す内部機能部７８の全体が１つのユニットとして、予備組付状態で、ブラケット９８，１００，１０４にてケース１２におけるケース本体１４に固定されている。
【００５８】
上記ブラケット９８は図６，図８及び図１０に示しているように、それぞれ正面形状が左右方向に長い矩形状をなす切替バルブ９０用の固定部３００，切替バルブ９２用の固定部３０２，混合バルブ８８用の固定部３０４，切替バルブ９４用の固定部３０６を有しており、更にそれら固定部３００〜３０６よりも左右及び上下方向寸法が小寸法で、正面形状が左右方向に長い矩形状をなすボデーシャワー吐水部２０Ａ-１，２０Ｂ-１用の固定部３０８，ボデーシャワー吐水部部２０Ａ-２，２０Ｂ-２用の固定部３１０，ボデーシャワー吐水部部２０Ａ-３，２０Ｂ-３用の固定部３１２及びボデーシャワー吐水部２０Ａ-４，２０Ｂ-４用の固定部３１４を有しており、更にそれらを上下方向に一体に連結する縦の一直線状の連結部３１６を有している。
【００５９】
固定部３００，３０２，３０４，３０６のそれぞれには、中央部に各バルブに一体に構成された、上記操作部４４，４６，４８，５０との連結用の連結部を通す挿通孔３１８が設けられ、また左右端には貫通の締結孔１０６が設けられていて、それら締結孔１０６に固定具としての固定ねじ、詳しくはここではビス１０８（図８参照）を挿通し、ケース本体１４の鍔状部８０に設けた固定孔としての雌ねじ孔１１０に、それらビス１０８をねじ込むことで、ブラケット９８がケース本体１４に締結固定されている。
尚、切替バルブ９０，９２，混合バルブ８８，切替バルブ９４のそれぞれは、対応する固定部３００，３０２，３０４，３０６のそれぞれに対して、ビス３２０にて固定されている（図１２，図１３参照）。
【００６０】
一方固定部３０８，３１０，３１２，３１４には、ボデーシャワー吐水部２０Ａ-１及び２０Ｂ-１，２０Ａ-２及び２０Ｂ-２，２０Ａ-３及び２０Ｂ-３，２０Ａ-４及び２０Ｂ-４をそれぞれ通す挿通孔３２２が設けられており、そこに各ボデーシャワー吐水部を挿通した状態で、それらがビス３２４（図１４及び図１６参照）にて対応する各固定部３０８，３１０，３１２，３１４にそれぞれ固定されている。
【００６１】
一方、ブラケット１００は正面形状が左右に長い矩形状をなしており、そこにボデーシャワー吐水部２０Ａ-５，２０Ｂ-５を通す一対の挿通孔３２２が設けられ、また四隅に締結孔１０６が設けられていて、その締結孔１０６においてビス１０８によりケース本体１４に固定されている。
また挿通孔３２２にボデーシャワー吐水部２０Ａ-５，２０Ｂ-５を挿通した状態で、それらがビス３２４によりブラケット１００に取付固定されている。
【００６２】
同様にブラケット１０４もまた正面形状が左右に長い矩形状をなしていて、その中心部にオーバーヘッドシャワー吐水部１８用の継手１０２を通す挿通孔３２６が設けられ、またその四隅には締結孔１０６が設けられていて、その締結孔１０６においてビス１０８によりケース本体１４に固定されている。
尚、挿通孔３２６に挿通された継手１０２は、ビス３２４にてブラケット１０４に取付固定されている（図９，図１７，図１８参照）。
尚これらの図に示しているように水栓機構部７６，ボデーシャワー吐水部２０，オーバーヘッドシャワー吐水部１８用の継手１０２及びそれらを互いに連絡する多数の配管を含む内部機能部７８は、ブラケット９８，１００，１０４の後面側（壁面Ｗ側）に固定してあり、かかる内部機能部７８をケース本体１４の前面の開放部からケース本体１４内部に挿入した状態で、各ブラケット９８，１００，１０４が、それぞれケース本体１４の前面側の部分、即ち開放側の部分に固定されている。
【００６３】
即ちこのようにしてブラケット９８，１００，１０４をケース本体１４に締結固定することで、後述の内部の各配管を含む内部機能部７８の全体が予備組付品、即ちユニットの状態でケース本体１４に固定されている。
尚、図１１に示しているようにケース本体１４の上壁１４Ｃは後壁１４Ａ，側壁１４Ｂとは別体に構成されていて、ビス１１２にて後壁１４Ａ及び側壁１４Ｂに固定されている。
詳しくは、図１１に示しているようにビス１１２を上壁１４Ｃの締結孔１１４に下向きに挿通した上、それらを後壁１４Ａ，側壁１４Ｂに沿って縦向きに設けた補強リブ１１６の上端部にねじ込むことで、かかる上壁１４Ｃが後壁１４Ａ及び側壁１４Ｂに締結固定されている。
【００６４】
図４に上記の内部機能部７８の構成が、ボデーシャワー吐水部２０，オーバーヘッドシャワー吐水部１８，ハンドシャワー吐水部２４，吐水管２２等とともに系統的な図として示してある。
図において、Ａ１，Ａ２は壁裏の給水元管Ｐ１，給湯元管Ｐ２に止水栓１１８を介して接続された内部給水用，給湯用の各配管で、端部が湯水の混合バルブ８８に接続され、かかる混合バルブ８８に対して水，湯が配管Ａ１，Ａ２を通じてそれぞれ供給される。
【００６５】
混合バルブ８８は、供給された水と湯とを図１の操作部４８の操作に応じて所定比率で混合し、適温の温調水（温度調節された湯）とする。
混合バルブ８８からの温調水は配管Ｂ，オーバーヘッドシャワー吐水部１８用の切替バルブ９０、更に配管Ｊを経由してオーバーヘッドシャワー吐水部１８へと送られ、シャワー孔３２からシャワー吐水される。
【００６６】
この実施形態では、切替バルブ９０がシャワー吐水位置にあるときには、配管Ｂと配管Ｊとが連通状態となって、混合バルブ８８からの温調水がシャワーヘッド吐水部１８へと送られ、そこからシャワー吐水される。
一方切替バルブ９０が止水位置にあるときには、配管Ｂと配管Ｊが遮断状態となり、混合バルブ８８からの温調水はオーバーヘッドシャワー吐水部１８へと供給されない。
【００６７】
一方、切替バルブ９０における図１の指示部５２が上向き位置にあるとき、即ち温度確認位置にあるときには、配管Ｂは配管Ｊと遮断状態とされる一方で、配管Ｅと連通状態となり、混合バルブ８８からの水が配管Ｅに分岐させられる。
配管Ｅに分岐した水は、冷水排水弁９６を経て吐水管２２に送られ、吐水管２２から下向きに吐水される。
尚このとき、配管Ｊ内の水もまた配管Ｃを通じて冷水排水弁９６から配管Ｄ側へと排水され、そして配管Ｄを経由して吐水管２２の吐水口３４から下向きに吐水される。
【００６８】
この実施形態において、配管Ｅ，配管Ｃ及び冷水排水弁９６は次のような意味を有している。
シャワー装置１０を一定時間使用しなかった状態で使用開始するとき、給湯器等の給湯源から延び出した給湯元管Ｐ２内の水は冷却状態即ち冷水の状態にある。
またオーバーヘッドシャワー吐水部１８側の配管Ｊ内の水もまた、長時間の放置による冷却によって冷水状態にある。
従ってこの状態で切替バルブ９０を操作してオーバーヘッドシャワー吐水部１８から吐水開始したときに、配管Ｊ内の冷水（配管内残水）及び配管Ｐ２内の冷水（配管内冷水）がシャワー吐水されてしまう。
【００６９】
そこでこの実施形態では、操作部４４を温度確認位置に位置させることで、配管Ｂと配管Ｅとを先ず連通状態とする。
この状態では、混合バルブ８８からの水は配管Ｂから配管Ｅへと分岐して流れ、そして配管Ｅからの流れによって冷水排水弁９６が開弁し、配管Ｅを通じて流れて来た冷水を配管Ｆ，吐水管２２を経て外部に排出する。
尚、冷水排水弁９６が開弁すると、このとき同時に配管Ｃと配管Ｄとが連通状態となり、オーバーヘッドシャワー吐水部１８側の配管Ｊ内に残っている冷たい残水が配管Ｃ，冷水排水弁９６，配管Ｄを流れて吐水管２２から外部に排出される。
そして冷水状態の配管内冷水及び残水が排出され、混合バルブ８８から温かい温調水が送り出されたところで、切替バルブ９０をシャワー吐水位置に切替操作することで、オーバーヘッドシャワー吐水部１８から温調水をシャワー吐水することができるのである。
【００７０】
図５は、冷水排水弁９６の構成をその作用とともに示したもので、図示のようにこの冷水排水弁９６は、バルブボデー１２０内部に弁体１２１を有している。
弁体１２１は、第１弁部１２２と、第２弁部１２４と、それらを連結する連結軸１２６を有しており、弁体１２１の図中上向きの移動により第１弁部１２２，第２弁部１２４が対応する各第１弁座１２８，第２弁座１３０から上向きに離間して開弁する。
そして第１弁部１２２の開弁により、流路１３２と１３４とが連通状態となり、また第２弁部１２４の開弁により流路１３６と１３８とが連通状態となる。
この冷水排水弁９６は、配管Ｅを通じて流路１３２内に混合バルブ８８からの水が図中上向きに流れ込むと、ダイヤフラム弁から成る第１弁部１２２がその給水の圧力により開弁し、配管Ｅを通じて流れて来た冷たい水を、流路１３２から流路１３４へと流通させる。流路１３４へと流れ込んだ水は、その後配管Ｆ内へと流通する。
【００７１】
この第１弁部１２２の開弁時にはまた、第２弁部１３０も開弁動作し、そして第２弁部１３０の開弁によって、流路１３６と流路１３８とが連通状態となる。
そしてそれら流路１３６と１３８との連通によって、配管Ｃを通じ、配管Ｊ内の冷たい残水が冷水排水弁９６へと流れ込み、そして流れ込んだ残水が、流路１３８から配管Ｄへと流通して、最終的に吐水管２２から外部に排出される。
尚、弁体１２１はコイルばね１４０にて常時閉弁状態に付勢されており、配管Ｅを通じて冷水排水弁９６に給水圧が導かれていないときには閉弁状態を保っている。
【００７２】
混合バルブ８８からの温調水はまた、図４に示すように配管Ｂ，ボデーシャワー吐水部２０用の切替バルブ９２を経て配管Ｉ１，Ｉ２へと導かれ、各ボデーシャワー吐水部２０Ａ-１〜２０Ａ-５及び２０Ｂ-１〜２０Ｂ-５からミスト状のシャワーとしてシャワー吐水される。
詳しくは、ボデーシャワー吐水部２０用の操作部４６をシャワー吐水位置に位置させておくと、切替バルブ９２が配管Ｂと配管Ｉ１，Ｉ２とを連通状態として、混合バルブ８８からの温調水が配管Ｉ１，Ｉ２へと導かれ、これら配管Ｉ１，Ｉ２と連通状態にある各ボデーシャワー吐水部２０Ａ-１〜２０Ａ-５及び２０Ｂ-１〜２０Ｂ-５からシャワー吐水される。
また一方操作部４６を止水位置に切り替えると、配管Ｂと配管Ｉ１，Ｉ２とは遮断状態となって、ボデーシャワー吐水部２０からのシャワー吐水が停止される。
【００７３】
この実施形態では、図１に示すようにボデーシャワー吐水部２０用の操作部４６もまた、温度確認位置へと切替操作可能であり、その切替操作を行ったとき、切替バルブ９２が図４の配管Ｂと配管Ｋとを連通状態とする。
このとき、配管Ｂは配管Ｋを通じて上記の配管Ｅと連通状態となり、従ってこの状態では混合バルブ８８からの冷水が、配管Ｋを経由して配管Ｅへと流れ込み、上記したのと同様にして冷水排水弁９６を経て外部に排出される。
【００７４】
配管Ｂにはまた、切替バルブ９４を介してハンドシャワー吐水部２４に連通した配管Ｇと、吐水管２２に連通した配管Ｈとが接続されている。
そして操作部５０を操作して切替バルブ９４を切替動作させ、配管Ｂと配管Ｇとを連通させることで、混合バルブ８８からの温調水がハンドシャワー吐水部２４へと導かれ、シャワー孔４０からシャワー吐水される。
一方、切替バルブ９４を配管Ｂと配管Ｈとを連通させる状態に切り替えると、混合バルブ８８からの温調水が配管Ｂから配管Ｈへと流れ、吐水管２２の吐水口３４から下向きに吐水される。
【００７５】
図６及び図７に、図４に示した各配管が切替バルブ９０，９２，９４，混合バルブ８８等とともに実際の配管状態で表してある。
これらの図に示しているように、本実施形態のシャワー装置１０の場合、多くの配管が複雑に錯綜した状態で各バルブとともに一体に繋がった上記の内部機能部７８を構成している。
【００７６】
図８において、ケース１２における前面カバー１６は、図３の内部機能部７８をケース本体１４に固定した後に、ケース本体１４に固定され、そしてその後において図１の操作部４４，４６，４８，５０の組付けが行われ、またオーバーヘッドシャワー吐水部１８，ボデーシャワー吐水部２０の前面カバー１６への固定が行われる。
【００７７】
図１２及び図１３に操作部４４〜５０の取付構造が、また図１４〜図１６にボデーシャワー吐水部２０の前面カバー１６への固定構造がボデーシャワー吐水部２０の構造とともに示してある。更に図１７，図１８にオーバーヘッドシャワー吐水部１８の前面カバー１６への固定構造が示してある。
前面カバー１６は、これら操作部４４〜５０，ボデーシャワー吐水部２０及びオーバーヘッドシャワー吐水部１８の組付けによって、同時にケース本体１４に対して固定状態とされる。
以下その詳細を各図に基いて具体的に説明する。
【００７８】
先ず図１２（Ａ）及び図１３において、前面カバー１６は、径方向の外向き及び内向きの各フランジ部１４２，１４３を備えたリング状のスペーサ部材１４４を介してブラケット９８に当接させられ、そしてその状態で、径方向外向きのフランジ部１４６を有する固定リング１４８が切替バルブ９０，９２，９４のそれぞれのバルブボデー１５０（詳しくは操作部４４〜５０との連結部）にねじ込まれることで、かかるブラケット９８を介しケース本体１４に固定される。
【００７９】
具体的には、バルブボデー１５０の雄ねじ部１５４に対して、固定リング１４８の雌ねじ部１５２を螺合し、更に固定リング１４８をねじ込むことで、前面カバー１６が、スペーサ部材１４４のフランジ部１４２と固定リング１４８のフランジ部１４６とにより内外両側から挟持される状態に、ブラケット９８を介しケース本体１４に、各操作部４４，４６，５０の個所において固定される。
【００８０】
回転ハンドル式の操作部４４，４６，５０は円筒形状の内筒部１５５を有しており、その内筒部１５５が、外周面と内周面とにセレーション部を有するダブルセレーションリング１５６を介して、スピンドル１５８に一体回転状態に連結され、更にはそのスピンドル１５８を介して弁体１６０に一体回転状態に連結されている。
【００８１】
ここでダブルセレーションリング１５６は、外周面のセレーション部を、操作部４４，４６，５０の内筒部１５５の内周面のセレーション部にセレーション結合させ、また内周面のセレーション部を、スピンドル１５８の外周面のセレーション部にセレーション結合させ、それらのセレーション結合に基いて、スピンドル１５８を操作部４４と一体に回転させる。
操作部４４，４６，５０はまた、固定ビス１６２によってスピンドル１５８にねじ固定され、図中左方向に抜け防止されている。
【００８２】
図１２（Ｂ）に示しているように、温度調節用の操作部４８の取付構造もまた、基本的に操作部４４，４６，５０の取付構造と同様である。
【００８３】
図１４及び図１５は、ボデーシャワー吐水部２０Ａ-１，２０Ｂ-１の要部の構成を、前面カバー１６への固定構造とともに示している。
図に示しているように、ボデーシャワー吐水部２０Ａ-１，２０Ｂ-１は、ノズルボデー１６４に一体に構成されたハウジング本体１６６と、これに螺合されたキャップ１６８とからなるノズルハウジング１７０によって、ノズル１７２の球面状をなす嵌合部１７４を三次元方向に回転可能に嵌合し、保持している。
【００８４】
ノズル１７２の内部は、ノズルハウジング１７０の内部に連通しており、送られてきた温調水が、ノズル１７２の内部を通って先端のノズル孔１７６から噴射される。
このノズル１７２の内部には、ノズル１７２内部を通る水の流れに旋回流を発生させる旋回部１７８が設けられており、この旋回部１７８の作用によって、ノズル孔１７６からの噴射水がノズル孔１７６を出たところで広角度に拡散せしめられ、その作用によって噴射水がミスト状のシャワーとなる。
【００８５】
１８０は、径方向外向きのフランジ部１８２を有するノズル用の固定リングで、内周面に雌ねじ部１８４を有しており、固定リング１８０をこの雌ねじ部１８４においてノズルハウジング１７０のキャップ１６８の外周面の雄ねじ部１８６に螺合し且つねじ込むことで、ボデーシャワー吐水部２０Ａ-１，２０Ｂ-１が前面カバー１６に固定され、また同時に前面カバー１６がボデーシャワー吐水部２０Ａ-１，２０Ｂ-１の個所で、ブラケット９８を介しケース本体１４に固定される。
尚、ボデーシャワー吐水部２０Ａ-５，２０Ｂ-５の構成及び前面カバー１６への固定構造もまた、基本的に図１４に示すのと同様である。
ボデーシャワー吐水部２０Ａ-１，２０Ｂ-１，２０Ａ-５，２０Ｂ-５用の固定リング１８０には、内周側にテーパ面１８８が設けられていて、そのテーパ面１８８の周方向２個所に係合溝１９０が形成され、その係合溝１９０に板状の工具１９２（図１５（Ｂ）参照）の係合部１９４を係合させ、その状態で工具１９２を回転させることで固定リング１８０を脱着できるようになしてある。
【００８６】
図１６は、ボデーシャワー吐水部２０Ａ-２〜２０Ａ-４，２０Ｂ-２〜２０Ｂ-４の要部構造を、前面カバー１６への固定構造とともに具体的に示したものである。
図において、１９８はボデーシャワー吐水部２０Ａ-２〜２０Ａ-４，２０Ｂ-１〜２０Ｂ-４のノズルで、ここではノズル１９８は、ノズルボデー２００のノズルハウジング２０２に固定状態に保持されている。即ちノズルの向きが一定の固定状態で保持されている。
但しノズル１９８を含むボデーシャワー吐水部２０Ａ-２〜２０Ａ-４，２０Ｂ-２〜２０Ｂ-４の前面カバー１６への固定構造は、基本的に図１４及び図１５に示したのと同様である。
【００８７】
即ち各ボデーシャワー吐水部２０Ａ-２〜２０Ａ-４，２０Ｂ-２〜２０Ｂ-４は、外向きのフランジ部２０４を有する固定リング２０６を、ノズルハウジング２０２にねじ込むことで前面カバー１６に固定され、また同時に前面カバー１６がボデーシャワー吐水部２０Ａ-２〜２０Ｂ-４の個所で、ブラケット９８を介しケース本体１４に固定されている。
尚この固定リング２０６においても、内周側にテーパ面１８８が設けられていて、そのテーパ面１８８の周方向の１８０°隔たった２個所に上記の係合溝１９０が形成され、この係合溝１９０において専用の工具１９２を用い、固定リング２０６を回転操作し、脱着可能となしてある。
【００８８】
図１７及び図１８は、オーバーヘッドシャワー吐水部１８の取付構造を具体的に示している。
図中１０２は、オーバーヘッドシャワー吐水部１８用の継手で、この継手１０２はビス１０８にて前述したブラケット１０４に固定され、かかるブラケット１０４を介してケース本体１４に固定されている。
継手１０２は、前面カバー１６に形成された貫通の開口２０８を通過して図中左側、即ち前面カバー１６の前側に突出せしめられている。
【００８９】
この継手１０２の突出部分の外周面には、図１８（Ｂ）に詳しく示しているように雄ねじ部２１０が形成されている。またその端面には、周方向に１８０°隔たった２個所に、オーバーヘッドシャワー吐水部１８におけるパイプ３０の回転方向の位置決突起２１２が設けられている。
【００９０】
一方パイプ３０側には、図１７（Ｂ）及び図１８（Ａ）に示しているように、雄嵌合面２１４が設けられていて、その雄嵌合面２１４にシールリングとしてのＯリング２１６が保持されている。
ここではその雄嵌合面２１４を、継手１０２の雌嵌合面２１８にＯリング２１６を介して嵌合させることで、パイプ３０が継手１０２に水密に接続される。
【００９１】
一方パイプ３０の側には、雄嵌合面２１４の図中左側の位置に径方向外向きのフランジ部２１９が設けられている。またそのフランジ部２１９には、上記の位置決突起２１２に対応する周方向の２個所において、切落し形状の位置決用の係合面２２０が形成されている。
パイプ３０は、この係合面２２０を位置決突起２１２に係合させるようにして、雄嵌合面２１４を継手１０２の雌嵌合面２１８に嵌入させることで、Ｏリング２１６を介し水密に継手１０２に接合される。
【００９２】
その状態で、内周側に雌ねじ部２２２及び内向きのフランジ部２２４を有する袋ナット２２６を、雌ねじ部２２２において継手１０２の雄ねじ部２１０にねじ込み、そして図１７（Ｂ）に示しているように袋ナット２２６の内向きのフランジ部２２４を、パイプ３０の外向きのフランジ部２１９に係合させることで、パイプ３０と継手１０２とが軸方向に締結される。
【００９３】
図１７（Ａ）及び図１８（Ａ）において、２２８はパイプ３０と継手１０２との連結部分を外側から覆う、化粧リングを兼ねたパイプ３０の前面カバー１６への固定用の固定リングで、径方向内向きのフランジ部２３０を有しており、そのフランジ２３０の内周面に雌ねじ部２３２が設けられている。
一方パイプ３０には、フランジ部２１９の図中左側位置に雄ねじ部２３４が設けられている。
【００９４】
この実施形態では、固定リング２２８の雌ねじ部２３２をパイプ３０側の雄ねじ部２３４に螺合し、更にその状態で固定リング２２８を図中右向きにねじ込んで、図中右端を前面カバー１６に当接させ、強く締め付けることでパイプ３０が、即ちオーバーヘッドシャワー吐水部１８が前面カバー１６に固定され、また同時に前面カバー１６がブラケット１０４を介してケース本体１４に固定される。
【００９５】
図１９，図２０及び図２１に、図１に示す前面カバー１６の一部をなす下端部の蓋体６２の脱着構造が具体的に示してある。
図３にも示しているように、蓋体６２の裏面（内面）には、その下部に下向きの一対のフック形状の掛止部２５０が設けられており、またその上端部には上向きの一対の掛止部２５２が上向きに突出する形状で設けてある。
ここで上向きの一対の掛止部２５２は、縦のリブ２５４のそれぞれの上端部に一体に構成してある。
【００９６】
一方ケース１２、詳しくはケース本体１４の底壁１４Ｄには、図２０に示しているように、吐水管２２用の継手２５６を挿通する開口２５８が設けられるとともに、その上面には左右一対のガイド部材２６０が立設されている。
これらガイド部材２６０は、一対の側壁２６２と、内壁２６４とを有する横断面形状がコ字形状の部材で、その内壁２６４に上下に長い長孔状のガイド孔２７４が設けられ、また下端部には折曲げ形状の固定部２６６が設けられている。
【００９７】
そしてこれらガイド部材２６０は、底壁１４Ｄの下側から締結孔２６８を通じて上向きに差し込まれたボルト２７０とナット２７２とによって、固定部２６６において底壁１４Ｄの上面にそれぞれ固定されている。
これらガイド部材２６０の側壁２６２と内壁２６４とで囲まれた空間には、金属製のコイルばね２７６が収容されている。そしてそれらコイルばね２７６の上端部に、掛止バー２８４の両端部に固定される端部部材２７８がそれぞれ装着されている。
これら端部部材２７８は、コイルばね２７６への下向きの挿入部２８０（図２１参照）と、掛止バー２８４を挿通させる貫通の挿通孔２８２とを有している。
【００９８】
掛止バー２８４は、蓋体６２の上記下向きの掛止部２５０を掛止させる部材で、両端側が端部部材２７８の挿通孔２８２に挿通され、そして端部部材２７８のそれぞれの外側で、図２０に示しているように掛止バー２８４に形成された環状溝２８８に弾性止め輪２９０が嵌込装着されることで、かかる掛止バー２８４が一対の端部部材２７８に対して軸方向に位置決めされ、且つそれら端部部材２７８から抜け防止されている。
【００９９】
尚、掛止バー２８４は一対のガイド部材２６０のガイド孔２７４を挿通した状態に組み付けられており、その状態において掛止バー２８４にはコイルばね２７６の上向きの付勢力が常時作用している。
従って蓋体６２を取り外した状態の下では、図２３（Ｂ）に示しているように掛止バー２８４は、ガイド孔２７４の上端に当接した状態にある。
【０１００】
上記蓋体６２は、下部の下向きの一対の掛止部２５０を掛止バー２８４に掛止させ、また上端部の上向きの一対の掛止部２５２を、前面カバー１６におけるカバー本体６０の下端部裏面に掛止させる状態に保持される。
このとき蓋体６２に対しては一対のコイルばね２７６による上向きの付勢力が掛止バー２８４を介して作用しており、従って蓋体６２は、一対のコイルばね２７６の付勢力に基いてその上端をカバー本体６０の下端に当接させ、密着させた状態に保持されている。
この状態で蓋体６２は、次のようにして簡単にこれを取り外すことができる。
【０１０１】
即ち、蓋体６２を一対のコイルばね２７６の上向きの付勢力に抗して下向きに押し下げる。これにより一対の上向きの掛止部２５２の、カバー本体６０に対する掛止が外れるから、そこで図１９（Ｉ）に示しているように蓋体６２の上端部がカバー本体６０から室内側に離れる方向に蓋体６２を傾斜させ、その状態で蓋体６２全体を上向きに持ち上げることで、蓋体６２を簡単に取付状態から外すことができる。
そしてこの蓋体６２を外すことによって、前面カバー１６の下端部に部分開口６４が生じる。
【０１０２】
本実施形態では、シャワー装置１０を壁面Ｗに施工現場にて取付施工するのに先立って、予めシャワー装置１０を組み付けた状態としておく。
具体的には、水栓機構部７６を含む内部機能部７８の全体を先ずブラケット９８，１００，１０４に固定して、それら全体を１つのユニットをなす予備組付品となしておき、その状態でこれをブラケット９８，１００，１０４にてケース本体１４に固定する。
その際、内部機能部７８をケース本体１４の前面の開放部よりケース本体１４内に挿入し、その状態でブラケット９８，１００，１０４をケース本体１４の鍔状部８０に締結し、ケース本体１４に取付固定する。
【０１０３】
その後、内部機能部７８をブラケット９８，１００，１０４とともに前側から覆うようにして、前面カバー１６をケース本体１４に固定し、ケース１２を構成するとともに、その内部に内部機能部７８を収納状態とする。
そしてその状態でシャワー装置１０を施工現場に搬入して、そこでこれを壁面Ｗに取付施工する。
詳しくは、図２，図２２に示しているように壁面Ｗにバックハンガーブラケット２３６，２３８を、ケース本体１４の後壁１４Ａに形成した上下一対の掛止開口８２，８４に対応する高さ位置に固定ねじ２４０等によって予め固定しておき、そしてシャワー装置１０におけるケース本体１４の後壁１４Ａの掛止開口８２，８４に、バックハンガーブラケット２３６，２３８の壁面Ｗから突出した形状の掛止凸部２４４を挿入させる状態に、ケース１２をそれら掛止開口８２，８４においてバックハンガーブラケット２３６，２３８に掛止する。
そしてそれらバックハンガーブラケット２３６，２３８にてシャワー装置１０の重量を支持させた状態とする。
【０１０４】
尚一対のバックハンガーブラケット２３６，２３８は、壁面Ｗに密着状態で固定される、掛止開口８２，８４に対応した幅の板状の固定部２４６と、その上端から斜め上向きに固定部２４６と同幅で突出した掛止凸部２４４と、掛止凸部２４４及び固定部２４６を幅方向両端で連結する板状の補強部２４２とを有する形態をなしている。
図２３（Ａ）は、そのバックハンガーブラケット２３６にケース本体１４の後壁１４Ａが掛止されることで、シャワー装置１０の重量が支持された状態を表している。
【０１０５】
尚、このときケース１２の前面カバー１６に操作部４４〜５０を予め設けておいても良いし、またシャワー装置１０を壁面Ｗに固定した後において、前面カバー１６に操作部４４〜５０を設けるようにしても良い。
また同様にオーバーヘッドシャワー吐水部１８や、ハンドシャワー吐水部２４，吐水管２２等を予め取り付けておいても良いし、或いはシャワー装置１０を壁面Ｗに固定した後において、それらを取り付けるようになしても良い。
【０１０６】
さてこのようにしてシャワー装置１０におけるケース１２をバックハンガーブラケット２３６，２３８に掛止して重量を支持させた後、予め蓋体６２の取外しによって生じている部分開口６４を通じて、図２３（Ｂ）に示しているようにケース本体１４の後壁１４Ａに設けてある固定孔２９２に固定ねじ２９４を挿通し、且つそれらを壁面Ｗにねじ込むことで、ケース１２を壁面Ｗに固定する。ここにおいてケース１２を壁面Ｗに取付状態となすことができる。
【０１０７】
尚この実施形態では、部分開口６４を通じてケース本体１４の後壁１４Ａを壁面Ｗに固定するのと併せて、その部分開口６４を通じて、図１９の給水元管Ｐ１，給湯元管Ｐ２と配管Ａ１，Ａ２とを継手２９６（図１９参照）を介して接続作業する。
また同じ部分開口６４を作業開口として止水栓１１８を操作し、水量調節を行う。
そのような作業を終えた後に再び蓋体６２を装着し、部分開口６４を閉鎖する。
【０１０８】
このとき、蓋体６２は次のようにして簡単に装着することができる。
即ち、蓋体６２の下向きの一対の掛止部２５０を、図２０（図２３（Ｂ））の掛止バー２８４に掛止させ、そして図１９（Ｉ）に示しているように蓋体６２に下向きの力を加えて一対のコイルばね２７６を撓ませながら蓋体６２を下向きに押し、その状態で蓋体６２の上端部をケース内方向に押し込み、一対の上向きの掛止部２５２をカバー本体６０の裏面側に位置させる。
【０１０９】
その状態で蓋体６２に加えていた下向きの押込力を除くと、図１９（II）に示しているように蓋体６２が一対のコイルばね２７６の付勢力によって上向きに押し上げられ、一対の上向きの掛止部２５２がカバー本体６０の下端裏面に掛止するとともに、蓋体６２の上端がカバー本体６０の下端に密着状態に当接した状態となる。
ここにおいて蓋体６２が、カバー本体６０と一体の外観を有する前面カバー１６の一部となって、カバー本体６０とともにケース本体１４の前面の開放部全体を閉鎖した状態となる。
【０１１０】
以上のように本実施形態では、水栓機構部７６を予め取付ブラケット９８とともに１つのユニットとして予備組付品となしておき、その状態で取付ブラケット９８によりケース１２に取付固定するようになしていることから、水栓機構部７６をケース１２に取り付けるに際して、水栓機構部７６を構成している各機能部品を個別にケース１２に取り付けるのに比べて、各機能部品の取付けの位置決めを機能部品ごとにそれぞれ独立に行う必要もないし、また単に単一の共通のブラケット９８をケース１２に固定するだけで、水栓機構部７６の全体をユニットとしてケース１２に固定することができる。
従って水栓機構部７６のケース１２への取付けの手間が少なくて済み、短時間で簡単に水栓機構部７６をケース１２に取付固定することができる。
【０１１１】
即ちシャワー装置１０の工場生産段階で、簡単に水栓機構部７６をケース１２に取付固定でき、シャワー装置１０の製造のための所要工数を少なくすることができる。
また施工現場でのシャワー装置１０の取付施工に際して、水栓機構部７６をその場で壁面Ｗに取り付けるといったことが必要でないので、現場での施工の手間も削減することができる。
【０１１２】
また本実施形態では、ボデーシャワー吐水部２０を水栓機構部７６とともにブラケット９８に固定し、ボデーシャワー吐水部２０を水栓機構部７６とともにブラケット９８にてケース１２に固定するようになしていることから、ボデーシャワー吐水部２０を水栓機構部７６と別にケース１２に固定する手間を削減し得て、水栓機構部７６及びボデーシャワー吐水部２０のケース１２への取付けの手間を削減でき、またその際にボデーシャワー吐水部２０の取付けの位置決めのための作業を省略し得て、シャワー装置１０の生産のための所要工数をより少なくすることができる。
【０１１３】
また施工現場でシャワー装置１０を壁面Ｗに取付施工するに際して、ボデーシャワー吐水部２０を水栓機構部７６とは別途に固定する必要がなく、そのことによって施工の手間を削減でき、現場での取付施工性を更に良好となすことができる。
【０１１４】
特に本実施形態では、内部機能部７８の全体をブラケット９８及びこれと別体のブラケット１００，１０４に固定し、内部機能部７８の全体を、それらブラケット９８，１００，１０４とともに１つのユニットとなし、それら全体を予備組付品の状態でケース１２に固定するようになしていることから、内部機能部７８を構成する多数の機能部品や配管等を個別にケース１２に取り付ける場合に比べて、ケース１２への取付けを極めて簡単に行うことができる。
【０１１５】
更に本実施形態では、水栓機構部７６を含む内部機能部７８をブラケット９８，１００，１０４の後面側に固定しておいて、これを前面の開放部よりケース本体１４の内部に挿入した状態で、ブラケット９８をケース本体１４の開放部側に固定するようになしているため、内部機能部７８を容易にケース１２内部に組込状態に取付固定することができる。
【０１１６】
以上本発明の実施形態を詳述したがこれはあくまで一例示である。
例えば上記実施形態では、箱体状をなすケース１２の前面部を前面カバー１６として、後側の断面コ字形状をなすケース本体１４と分割構成とし、そのケース本体１４に対して前面の開放部から内部機能部７８を組み付けるようになしているが、場合によって側面や後面を開放部として、それらの部分から内部機能部７８を組み付けるようになすといったことも可能である。
また上記の水栓機構部７６はあくまで一例であって、水栓機構部７６を、湯水の混合バルブと切替バルブとを含む他の様々な形態で構成することも可能であるし、更に本発明では場合によって水栓機構部だけをブラケットにてケースに固定するといったことも可能である等、本発明はその趣旨を逸脱しない範囲において種々変更を加えた形態で構成可能である。
【図面の簡単な説明】
【０１１７】
【図１】本発明の一実施形態のシャワー装置の正面図である。
【図２】同実施形態のシャワー装置を壁面に設置した状態で示した断面図である。
【図３】同実施形態のシャワー装置を分解して示した図である。
【図４】同実施形態における配管経路を系統的に示した図である。
【図５】同実施形態における冷水排水弁の構成をその作用とともに示した断面図である。
【図６】同実施形態における実際の配管状態を表した図である。
【図７】図６（Ｂ）を拡大した図である。
【図８】同実施形態におけるブラケットのケース本体への固定構造を示した図である。
【図９】同実施形態におけるブラケットのケース本体への固定構造を拡大して示した図である。
【図１０】同実施形態におけるブラケットを示した図である。
【図１１】同実施形態におけるケース本体の上壁を分解して示した図である。
【図１２】同実施形態における操作部の要部の構成を示した部分断面図である。
【図１３】図１２の操作部と前面カバーとを分解して示した図である。
【図１４】同実施形態におけるボデーシャワー吐水部の要部の構成を示した部分断面図である。
【図１５】図１４のボデーシャワー吐水部と前面カバーとを分解して示した図である。
【図１６】図１４とは異なるボデーシャワー吐水部の要部の構成を示した部分断面図である。
【図１７】同実施形態におけるオーバーヘッドシャワー吐水部の要部の構成を示した部分断面図である。
【図１８】図１７のオーバーヘッドシャワー吐水部を分解して示した図である。
【図１９】同実施形態における蓋体の脱着構造を示した図である。
【図２０】図１９の蓋体の脱着構造を分解して示した図である。
【図２１】図１９の蓋体の脱着構造の要部を示した部分断面図である。
【図２２】同実施形態のシャワー装置の壁面への取付構造を示した図である。
【図２３】同実施形態におけるシャワー装置の壁面への取付構造の要部を拡大して示した図である。
【図２４】従来公知のシャワー装置の一例を示した図である。
【図２５】シャワー装置の図２４とは異なる従来例を示した図である。
【符号の説明】
【０１１８】
１０  シャワー装置
１２  ケース
１４  ケース本体
１４Ａ  後壁
１４Ｂ  側壁
１８  オーバーヘッドシャワー吐水部
２０  ボデーシャワー吐水部
２４  ハンドシャワー吐水部
２６  シャワーホース
７６  水栓機構部
７８  内部機能部
８８  混合バルブ
９０，９２，９４  切替バルブ
９８  第１取付ブラケット
１００  第２取付ブラケット
１０４  第２取付ブラケット
【図１】
2009189604.tif 000003
【図２】
2009189604.tif 000004
【図３】
2009189604.tif 000005
【図４】
2009189604.tif 000006
【図５】
2009189604.tif 000007
【図６】
2009189604.tif 000008
【図７】
2009189604.tif 000009
【図８】
2009189604.tif 000010
【図９】
2009189604.tif 000011
【図１０】
2009189604.tif 000012
【図１１】
2009189604.tif 000013
【図１２】
2009189604.tif 000014
【図１３】
2009189604.tif 000015
【図１４】
2009189604.tif 000016
【図１５】
2009189604.tif 000017
【図１６】
2009189604.tif 000018
【図１７】
2009189604.tif 000019
【図１８】
2009189604.tif 000020
【図１９】
2009189604.tif 000021
【図２０】
2009189604.tif 000022
【図２１】
2009189604.tif 000023
【図２２】
2009189604.tif 000024
【図２３】
2009189604.tif 000025
【図２４】
2009189604.tif 000026
【図２５】
2009189604.tif 000027